(57)【要約】      （修正有）【課題】強い抗湾曲及び抗切断力を備える導電端子、導電端子を応用したコネクター及びコネクター組立品を提供する。【解決手段】導電端子１０は、固定支持腕１１、接触腕１２及び溶接端１４を備える。固定支持腕は相対する第一端及び第二端を備え、該接触腕は前記第一端を設置し、固定支持腕と平行且つ相互にピッチをとって設置し、該溶接端は前記第二端を設置する。接触腕には鉤部１２４を設置し、該鉤部は前記固定支持腕で押さえる。接触腕の外側面には接触区１２１を備え、該接触区は、相互並行に設置し、且つ隣り合って並列する凸条１２２及び凹槽１２３で構成し、且つ凸条と凹槽の設置方向は対応端子の挿入方向と垂直を形成せず且つ平行も形成しない。導電端子の構造は剛体の構造に近いため、対応端子と相互に接続すると、導電端子は大きな変形を発生せず、故に良好な抗湾曲及び抗切断力を備える。【選択図】図１
0003153470.tif 000002
【実用新案登録請求の範囲】
【請求項１】
コネクター内で用いる導電端子において、相対する第一端及び第二端を備える固定支持腕と、該第一端に接続し、固定支持腕と平行且つ相互にピッチをとって設置し、鉤部を設置し、該鉤部は固定支持腕上で押さえ、外側面には接触区を備える接触腕と、第二端に接続する溶接端を含み、そのうち、前記接触区は相互に平行に設置し、且つ隣り合って配列する凸条及び凹槽から構成され、且つ前記凸条と凹槽の設置方向は対応端子の挿入方向と垂直を形成せず、且つ平行も形成しないことを特徴とする導電端子。
【請求項２】
前記隣り合う凸条と凹槽は、段差が0.005ミリメートルから0.15ミリメートルの間であることを特徴とする請求項１記載の導電端子。
【請求項３】
前記鉤部は、前記接触腕の一端に設置することを特徴とする請求項１記載の導電端子。
【請求項４】
前記固定支持腕の第二端は、溶接端との間に細長形の連接腕を設置することを特徴とする請求項１記載の導電端子。
【請求項５】
コネクターにおいて、基板を備え、基板上には相対する両側面垣を設置し、両側面垣の外側壁にはそれぞれ複数の端子槽を設置する絶縁本体と、固定支持腕、固定支持腕の一端に連接する接触腕、及び固定支持腕別一端に連接する溶接端を備え、該接触腕と固定支持腕は平行で更に並列に設置し、且つ一定距離のピッチを形成し、接触腕は鉤部を設置し、該鉤部は固定支持腕で押さえ、接触腕の外側面は接触区を備え、前記接触区は相互に平行に設置し、且つ隣り合って並列する凸条及び凹槽から構成され、且つ前記凸条と凹槽の設置方向は対応端子の挿入方向が垂直を形成せず、且つ平行も形成しない複数の導電端子を含み、そのうち、該固定支持腕は、前記端子槽内に設置し、前記接触腕は絶縁本体の外側向きに設置し、且つ前記溶接端は絶縁本体の両側に配列する複数の導電端子を含むことを特徴とするコネクター。
【請求項６】
前記隣り合う凸条と凹槽は、段差が0.005ミリメートルから0.15ミリメートルの間であることを特徴とする請求項５記載のコネクター。
【請求項７】
前記鉤部は、前記接触腕の一端に設置することを特徴とする請求項５記載のコネクター。
【請求項８】
前記端子槽の槽壁は、それぞれ挟持槽を設置し、前記導電端子の固定支持腕の両側縁にそれぞれ凸部を設置し、前記凸部が前記挟持槽内で干渉することを特徴とする請求項５記載のコネクター。
【請求項９】
前記絶縁本体の両側面垣は、外側壁にそれぞれ側面垣の延長方向に沿って組立部を設置し、且つ前記組立部は該これら端子槽の外側に設置し、組立部の底部は各前記端子槽にそれぞれ組立槽を設置し、各組立槽と対応する端子槽は連通し、前記導電端子の固定支持腕と溶接端の間には連接腕を設置し、該連接腕は前記組立槽内に納置することを特徴とする請求項５記載のコネクター。
【請求項１０】
請求項５から９の任意のプラグ及びコンセントを含むコネクター組立品に於いて、該コンセントは、底板を備え、底板上には相対設置する両停止垣を凸設し、両停止垣の内側壁には複数の差込槽を設置し、前記差込槽は下向きに前記停止垣及び前記底板の一部分を貫通し、且つ各差込槽の両側壁に停止塊を接続するコンセント本体と、組立部、組立部の一端に連接する溶接脚及び組立部の別一端に連接する弾性部を備え、前記弾性部はＵ字形で、第一弾性腕及び第二弾性腕を備え、且つ第二弾性腕の自由端には接触部を設置する複数のコンセント端子を含み、そのうち、前記コンセント端子は前記組立槽内に設置し、コンセント端子の第一弾性腕と第二弾性腕の連接箇所には前記停止垣の下方に設置し、その接触部は前記差込槽に弾性を備えて挿入することを特徴とするコネクター組立品。
【請求項１１】
前記コンセント端子の弾性部と組立部は、円弧形の湾曲部によって連接されることを特徴とする請求項１０記載のコネクター組立品。
【考案の詳細な説明】
【技術分野】
【０００１】
本考案は、コネクターに関するもので、特に導電端子及び該導電端子を応用したコネクター及びコネクター組立品に係わる。
【背景技術】
【０００２】
B-to-Bコネクターは、電子製品内部に広く応用されているコネクターであり、それは通常、コンセント及びコンセントと相互に対応するプラグを含む。コンセントとプラグは、それぞれ回路板上に連接される。プラグとコンセントを相互に差し込むと、該プラグとコンセントを差し込んだ両回路板に電気が通じる。
【０００３】
近年、電子製品の小型化の発展に伴い、コネクターの外体サイズも更に小さくなっている。公知には低位外形のコネクター組立品があり（例えば特許文献１参照）、それはプラグ端子の接触端に凹部を設置し、コンセント端子の接触端には凸部を設置する。該凸部と凹部を合わせることにより、プラグとコンセントの間に安定した電気連接を形成する。
【０００４】
上述のコネクターの体積は非常に小さいため、その端子のデザインも非常に薄い。プラグをコンセントから差し込んだり、抜いたりする時、端子は弾性変形して相互に押さえる必要がある。しかしながら、端子の間には応力が存在するため、端子に対応する箇所が曲がったり、切れたりしやすく、電気連接に影響を与える。
【先行技術文献】
【特許文献】
【０００５】
【特許文献１】台湾特許公示第３７９４６８号明細書
【考案の概要】
【考案が解決しようとする課題】
【０００６】
該端子は比較的強い抗湾曲及び抗切断力を備える導電端子を提供することを本考案の目的とする。
【０００７】
本考案は、該導電端子を応用したコネクターと該導電端子を応用したコネクター組立品を提供する。該コネクター及びコネクター組立品は良好な電気連接効果を達成する。
【課題を解決するための手段】
【０００８】
上述の目的のため、本考案が提供する導電端子は、固定支持腕、接触腕、及び溶接端を含む。該固定支持腕は相対する第一端及び第二端を備え、該接触腕は前記第一端に設置し、固定支持腕と平行且つピッチをとって設置し、該溶接端は前記第二端に設置する。前記接触腕には鉤部を設置し、該鉤部は前記固定支持腕で押さえる。接触腕の外側面は接触区を備え、前記接触区は相互平行に設置し、且つ隣り合って並列する凸条及び凹槽から構成される。更に前記凸条と凹槽の設置方向は対応端子の挿入方向と垂直を形成せず且つ平行も形成しない。
【０００９】
本考案が提供するコネクターは絶縁本体及び複数の導電端子を含む。該絶縁本体は基板を備え、基板上には両側面垣を設置し、両側面垣の外側にはそれぞれ複数の端子槽を設置する。導電端子はそれぞれ固定支持腕、固定支持腕の一端に連接する接触腕、固定概略腕の別一端に連接する溶接端を備える。該接触腕と固定支持腕は平行、並列して設置し、且つ相互に一定のピッチをとる。接触腕には更に鉤部を設置し、該鉤部は固定支持腕で押さえる。接触腕の外側面は接触区を備え、前記接触区は相互に平行に設置し、且つ相互に隣り合って配列する凸条と凹槽から構成され、且つ前記凸条と凹槽の設置方向は対応端子の挿入方向と垂直を形成せず平行を形成しない。導電端子は絶縁本体上に組み立て、固定支持腕は前記端子槽内に設置し、その接触区は絶縁本体の外側向きに設置して溶接端は絶縁本体の両側に配列する。
【００１０】
本考案が提供するコネクター組立品はプラグ及びコンセントを含む。
【００１１】
該プラグは絶縁本体及び複数の導電端子を備える。該絶縁本体は基板を備え、基板は両側面垣を設置し、両側面垣の外側はそれぞれ複数の端子槽を設置する。導電端子はそれぞれ固定支持腕、固定支持腕の一端に連接する接触腕及び固定支持腕の別一端に連接する溶接端を備える。該接触腕と固定支持腕は平行且つ並列に設置し、更に相互に一定のピッチをとる。接触腕は鉤部を設置し、該鉤部は固定支持腕で押さえる。接触腕の外側面には接触区を備え、前記接触区は相互平行に設置し、且つ隣り合って配列する凸条及び凹槽から構成され、且つ前記凸条と凹槽の設置方向は対応端子の挿入方向と垂直を形成せず且つ平行も形成しない。導電端子は絶縁本体上に設置し、その固定支持腕は前記端子槽内設置し、接触支持腕は絶縁本体の外側向きに設置し、溶接端は絶縁本体の両側に配列する。
【００１２】
該コンセントは、コンセント本体及び複数のコンセント端子を含む。コンセント本体は底板を備え、底板は相対設置した両停止垣を凸設し、両停止垣の内側には複数の差込槽を設置し、前記差込槽は下向きに前記停止垣及び底板の一部を貫通し、且つ各差込槽の両側面壁上に停止塊を設置する。コンセント端子はそれぞれ組立部、組立部の一端に連接する溶接脚及び組立部の別一端に連接する弾性部を備える。前記弾性部はＵ字形で、第一弾性腕及び第二弾性腕を備え、且つ第二弾性腕の一端は接触部を備える。前記コンセント端子は前記組立槽内に設置し、第一弾性腕と第二弾性腕の連接箇所は前記停止塊の下方に設置し、接触部は前記差込槽に弾性を備えて挿入する。
【００１３】
上述のとおり、本考案の導電端子の固定支持腕と接触腕の組み合せは剛体の構造に近いため、対応端子と相互に接続した時、導電端子は大きな変形が発生せず、故に良好な抗湾曲及び抗切断力を備える。該導電端子を応用したコンセント及び該コンセントを含むコネクター組立品も大きな着脱力を受けても電気連接の安定性が保護される。
【考案の効果】
【００１４】
本考案の導電端子、導電端子を応用したコネクター及びコネクター組立品は、強い抗湾曲及び抗切断力を備えるため、変形しにくいという利点がある。
【図面の簡単な説明】
【００１５】
【図１】本考案の導電端子の立体図である。
【図２】図１の導電端子の側面図である。
【図３】本考案の導電端子を応用したプラグの立体図である。
【図４】図３に示すプラグの絶縁本体の立体図である。
【図５】図３に示すプラグの断面図である。
【図６】図３に示すプラグを差し込むコンセントの立体図である。
【図７】図６に示すコンセントのコンセント本体の立体図である。
【図８】図６に示すコンセントの断面図である。
【図９】本考案のコンセントにプラグを差し込む前の概略図である。
【図１０】本考案のコンセントにプラグを差し込んだ後の概略図である。
【考案を実施するための形態】
【００１６】
本考案の技術内容、その達成目的及び効果を詳細に説明するため、以下に実施例を挙げ、図式と共に説明する。
【００１７】
本考案の導電端子１０は、金属材で製造され、主にB-to-Bコネクター組立品のプラグ内に応用される。
【００１８】
図１及び図２に示すとおり、本考案の導電端子１０は細長形の固定支持腕１１を備え、固定支持腕１１の両側縁にはそれぞれ凸部１１１を凸設する。本考案の導電端子１０をコネクターの端子槽に組み立てる時、両凸部１１１はそれぞれ端子槽の槽壁に嵌合され、それによって組立の干渉度が増強される。固定支持腕１１は相対する第一端及び第二端を備え、且つその第一端は一側に向かって湾曲し、固定支持腕１１に対して平行で、第二端に向かう方向には接触腕が形成されて伸びる。接触腕１２と固定支持腕１１の間には隙間があり、それによって全体がＵ字形構造を形成する。
【００１９】
接触腕１２の外側面には端子を接続するための接触区１２１を設置する。接触区１２１は凹凸形状で、互いに平行に設置した凸条１２２及び凹槽１２３から構成される。各一凸条１２２と凹槽１２３は相互に隣り合って配列し、且つ隣り合った凸条１２２と凹槽１２３との間の段差は0.005ミリメートルから0.15ミリメートルの間が良い。上述の凸条１２２と凹槽１２３の設置方向と端子を接続する挿入方向は垂直もしくは平行にならず、傾斜角を形成する。接触腕１２の末端は固定支持腕１１の一側向きに湾曲して鉤部１２４を形成する。鉤部１２４は固定支持腕１１上で押さえ、接触腕１２と固定支持腕１１の構造が剛体構造に近くなる。
【００２０】
固定支持腕１１の第二端は、前述の接触腕１２の一側向きに連接腕１３が伸び、連接腕１３の末端は溶接端１４が成形される。該溶接端１４は外部の回路板に連接される。
【００２１】
上述のとおり、本考案の導電端子１０の固定支持腕１１と接触腕１２の組立品は剛体の構造に近く、対応端子と相互に接続する時、本考案の導電端子１０、特に導電端子１０の接触腕１２と固定支持腕１１の連接箇所は、大きな変形が発生しないため、導電端子１０が曲がったり、切れたりするのを防止する。
【００２２】
図３に示すのは、導電端子１０に適用するプラグ２０である。該プラグ２０は、絶縁本体２１及び複数の導電端子１０を含む。
【００２３】
図４及び図５に示すとおり、絶縁本体２１は矩形の基板２２を備え、基板２２の辺縁にはそれぞれ相対設置した両側面垣２３及び両側面壁２４が上向きに凸設され、基板２２、両側面垣２３及び両側面壁２４によって差込空間２５が形成され、対応コネクターと合わさる。
【００２４】
絶縁本体２１の両側面垣２３の外側壁は、上下方向に沿ってそれぞれ複数の端子槽２３１が設置され、端子槽２３１の底壁はそれぞれ両側向きに挟持槽２３２が凹設される。両側面垣２３の下端はそれぞれ側面垣２３の延びる方向に沿って組立塊２３３が凸設され、且つ該組立塊２３３は前述の端子槽２３１外側に設置する。組立塊２３３の底面は各端子槽２３１に対応して組立槽２３４が設置される。組立槽２３４と端子槽２３１は相互に連通し、これらが共に導電端子１０を納置する。
【００２５】
導電端子１０は、下から上に向かって絶縁本体２１内に設置する。そのうち、導電端子１０の固定支持腕１１は端子槽２３１内に設置し、固定支持腕１１の両側の凸部１１１は挟持槽２３２内に嵌合する。連接腕１３は組立槽２３４内に納置し、導電端子１０が組立完了後に上向きに移動するのを防止する。溶接端１４は絶縁本体２１の両側に伸び、外部回路板に連接するのに用いる。導電端子１０の接触腕１２はそれぞれ絶縁本体２１の外側に向け、対応コネクターの端子と相互に接続するのに用いる。
【００２６】
本考案が提供するコネクター組立品はプラグ２０及びコンセント４０を含む。
【００２７】
図６に示すとおり、コンセント４０はコンセント本体４１及び複数のコンセント本体４１内に差し込むコンセント端子４８を含む。
【００２８】
図７及び図８に示すとおり、コンセント本体４１は、矩形の底板４２を備え、底板４２の内部には差込塊４２１を凸設し、該差込塊４２１は、プラグ２０の差込空間２５と相互に合わせるのに用いる。底板４２の辺縁は、それぞれ相対設置する両停止垣４３、両停止壁４４を凸設し、該底板、差込塊４２１、両停止垣４３及び両停止壁４４によって対応空間を形成し、そこにプラグ２０を挿入する。
【００２９】
両停止垣４３の内側面壁にはそれぞれ複数の差込槽４３１を設置し、該これらの差込槽４３１は下向きに底板４２の一部及び該停止垣４３を貫通し、且つ差込槽４３１の両側面壁の間には停止塊４３２を設置し、該停止塊４３２は差込槽４３１を内、外の二部分に分ける。
【００３０】
図８に示すとおり、コンセント端子４８はＳ字形で、細長形の一端には溶接脚４８２を設置し、別一端には溶接脚４８２に対して反対の一側に弾性部４８５を設置する。弾性部４８５はＵ字形で、相互に連接する第一弾性腕４８６、及び第二弾性腕４８７を備える。第一弾性腕４８６は、円弧形の湾曲部４８３によって組立部４８１上に連接し、それによって弾性部４８５と組立部４８１の連接強度を更に高め、コンセント端子４８は更に大きい着脱力に対応できる。コンセント端子４８の第二弾性腕４８７の自由端は外向きに突出した接触部４８８を備える。
【００３１】
コンセント端子４８は、下から上に向かってコンセント本体４１の差込槽４３１内に設置する。そのうち、組立部４８１及び第一弾性腕４８６は差込槽４３１の外側部分に差し込む。即ち、停止塊４３２と停止垣４３の外側壁の間に設置する。第二弾性腕４８７は、停止塊４３２の内側に設置し、該接触部４８８は対応空間４５内に弾性を備えて入れる。第一弾性腕４８６と第二弾性腕４８７の連接端は停止塊４３２の下方に設置し、それによってプラグ２０をコンセント４０から抜いた時、コンセント端子４８がコンセント２０によって上へ移動しないようにする。溶接脚４８２はコンセント本体４１の両側にそれぞれ配列し、回路板に溶接するのに用いる。
【００３２】
図９及び図１０に示すとおり、プラグ２０は回路板Ｃ１に溶接し、コンセント４０は回路板Ｃ２上に溶接する。両コネクターが対応した時、プラグ２０はコンセント４０の対応空間４５内に挿入され、且つコンセント４０の差込塊４２１はプラグ２０の差込空間２５内に挿入される。導電端子１０の接触腕１２はコンセント端子４８の第二弾性腕４８７の接触部４８８に接続され、更にそれぞれ両側に向けて該コンセント端子４８を圧縮する。両コネクターが差込を完了すると、コンセント端子４８の弾性回復力によってコンセント端子４８の接触部４８８が導電端子１０の接触区１２１で弾力を備えて押さえる。
【００３３】
本考案の導電端子１０の固定支持腕１１と接触腕１２は、剛体の構造に近づくため、プラグ２０とコンセント４０を差し込んだり、抜いたりする過程に於いて、導電端子１０の形状変形量が小さくなり、導電端子１０が曲がったり切れたりするのを有効に防止し、更に両コネクター２０、４０の間の電気連接の安定性が高まる。他に、導電端子１０の接触区１２１は凹凸形状であるため、両端子１０、４８の間の結合力が更に向上する。
【００３４】
上述のとおり、本考案の導電端子１０は比較的強力な抗湾曲及び切断力を備えるため、該導電端子１０を応用したプラグ２０及び該プラグ２０を含むコネクターの組立品は強い着脱力を備え、且つ電気連接を保護して良好な安定性を備える。
【００３５】
本考案は、上述の構造によって、目的とその効果を達成する。更に本考案の申請は実用新案の要件に合致するため、法に基づき申請する。但し、以上は、本考案の良好な実施例に過ぎず、本考案の請求範囲を制限するものではない。本考案のその他の修飾もしくは変化は、すべて本考案の申請範囲内に属する。
【符号の説明】
【００３６】
１０    導電端子
１１    固定支持腕
１１１  凸部
１２    接触腕
１２１  接触区
１２２  凸条
１２３  凹槽
１２４  鉤部
１３    連接腕
１４    溶接端
２０    プラグ
２１    絶縁本体
２２    基板
２３    側面垣
２３１  端子槽
２３２  挟持槽
２３３  組立塊
２３４  組立槽
２５    差込空間
３５    側面壁
４０    コンセント
４１    コンセント本体
４２    底板
４２１  差込塊
４３    停止垣
４３１  差込槽
４３２  停止塊
４４    停止壁
４５    対応空間
４８    コンセント端子
４８１  組立部
４８２  溶接脚
４８３  湾曲部
４８５  弾性部
４８６  第一弾性腕
４８７  第二弾性腕
４８８  接触部
Ｃ１    回路板
Ｃ２    回路板
【図１】
0003153470.tif 000003
【図２】
0003153470.tif 000004
【図３】
0003153470.tif 000005
【図４】
0003153470.tif 000006
【図５】
0003153470.tif 000007
【図６】
0003153470.tif 000008
【図７】
0003153470.tif 000009
【図８】
0003153470.tif 000010
【図９】
0003153470.tif 000011
【図１０】
0003153470.tif 000012
【手続補正書】
【提出日】平成21年5月25日(2009.5.25)
【手続補正１】
【補正対象書類名】実用新案登録請求の範囲
【補正対象項目名】請求項１０
【補正方法】変更
【補正の内容】
【請求項１０】
請求項５又は請求項６又は請求項７又は請求項８又は請求項９のプラグ及びコンセントを含むコネクター組立品に於いて、該コンセントは、底板を備え、底板上には相対設置する両停止垣を凸設し、両停止垣の内側壁には複数の差込槽を設置し、前記差込槽は下向きに前記停止垣及び前記底板の一部分を貫通し、且つ各差込槽の両側壁に停止塊を接続するコンセント本体と、組立部、組立部の一端に連接する溶接脚及び組立部の別一端に連接する弾性部を備え、前記弾性部はＵ字形で、第一弾性腕及び第二弾性腕を備え、且つ第二弾性腕の自由端には接触部を設置する複数のコンセント端子を含み、そのうち、前記コンセント端子は前記組立槽内に設置し、コンセント端子の第一弾性腕と第二弾性腕の連接箇所には前記停止垣の下方に設置し、その接触部は前記差込槽に弾性を備えて挿入することを特徴とするコネクター組立品。
【手続補正書】
【提出日】平成21年7月8日(2009.7.8)
【手続補正１】
【補正対象書類名】実用新案登録請求の範囲
【補正対象項目名】請求項５
【補正方法】変更
【補正の内容】
【請求項５】
プラグにおいて、基板を備え、基板上には相対する両側面垣を設置し、両側面垣の外側壁にはそれぞれ複数の端子槽を設置する絶縁本体と、固定支持腕、固定支持腕の一端に連接する接触腕、及び固定支持腕別一端に連接する溶接端を備え、該接触腕と固定支持腕は平行で更に並列に設置し、且つ一定距離のピッチを形成し、接触腕は鉤部を設置し、該鉤部は固定支持腕で押さえ、接触腕の外側面は接触区を備え、前記接触区は相互に平行に設置し、且つ隣り合って並列する凸条及び凹槽から構成され、且つ前記凸条と凹槽の設置方向は対応端子の挿入方向が垂直を形成せず、且つ平行も形成しない複数の導電端子を含み、そのうち、該固定支持腕は、前記端子槽内に設置し、前記接触腕は絶縁本体の外側向きに設置し、且つ前記溶接端は絶縁本体の両側に配列する複数の導電端子を含むことを特徴とするプラグ。
【手続補正２】
【補正対象書類名】実用新案登録請求の範囲
【補正対象項目名】請求項６
【補正方法】変更
【補正の内容】
【請求項６】
前記隣り合う凸条と凹槽は、段差が0.005ミリメートルから0.15ミリメートルの間であることを特徴とする請求項５記載のプラグ。
【手続補正３】
【補正対象書類名】実用新案登録請求の範囲
【補正対象項目名】請求項７
【補正方法】変更
【補正の内容】
【請求項７】
前記鉤部は、前記接触腕の一端に設置することを特徴とする請求項５記載のプラグ。
【手続補正４】
【補正対象書類名】実用新案登録請求の範囲
【補正対象項目名】請求項８
【補正方法】変更
【補正の内容】
【請求項８】
前記端子槽の槽壁は、それぞれ挟持槽を設置し、前記導電端子の固定支持腕の両側縁にそれぞれ凸部を設置し、前記凸部が前記挟持槽内で干渉することを特徴とする請求項５記載のプラグ。
【手続補正５】
【補正対象書類名】実用新案登録請求の範囲
【補正対象項目名】請求項９
【補正方法】変更
【補正の内容】
【請求項９】
前記絶縁本体の両側面垣は、外側壁にそれぞれ側面垣の延長方向に沿って組立部を設置し、且つ前記組立部は該これら端子槽の外側に設置し、組立部の底部は各前記端子槽にそれぞれ組立槽を設置し、各組立槽と対応する端子槽は連通し、前記導電端子の固定支持腕と溶接端の間には連接腕を設置し、該連接腕は前記組立槽内に納置することを特徴とする請求項５記載のプラグ。
【手続補正６】
【補正対象書類名】実用新案登録請求の範囲
【補正対象項目名】請求項１０
【補正方法】変更
【補正の内容】
【請求項１０】
請求項５又は請求項６又は請求項７又は請求項８又は請求項９のプラグを含むコネクター組立品に於いて、該プラグをコンセントに差し込み、該コンセントは、底板を備え、底板上には相対設置する両停止垣を凸設し、両停止垣の内側壁には複数の差込槽を設置し、前記差込槽は下向きに前記停止垣及び前記底板の一部分を貫通し、且つ各差込槽の両側壁に停止塊を接続するコンセント本体と、組立部、組立部の一端に連接する溶接脚及び組立部の別一端に連接する弾性部を備え、前記弾性部はＵ字形で、第一弾性腕及び第二弾性腕を備え、且つ第二弾性腕の自由端には接触部を設置する複数のコンセント端子を含み、そのうち、前記コンセント端子は前記組立槽内に設置し、コンセント端子の第一弾性腕と第二弾性腕の連接箇所には前記停止垣の下方に設置し、その接触部は前記差込槽に弾性を備えて挿入することを特徴とするコネクター組立品。